(57)【要約】【課題】  内容物を取り出す開口部及び上容器本体と下容器本体の嵌合構成を改良して気密性の高いカード状の振出容器を得ること【解決手段】  薄いトレイ状の上容器部材と下容器部材とを、これら上容器部材及び下容器部材の外周縁に連続状に突設された係合用突条の係合によって組み立ててなる気密性カード状振り出し容器であって、上容器部材の側壁部の切欠部に下容器部材の一部が嵌合するように構成され、下容器部材にヒンジキャップが設けられ、ヒンジキャップの裏面に摺り合わせ用壁部材が突設され、該ヒンジキャップに対応する下容器部材には、該ヒンジキャップの摺り合わせ壁部材が摺り合わされる開口部が穿設される。【選択図】  図７
2011098784.tif 000002
【特許請求の範囲】
【請求項１】
薄いトレイ状の上容器部材と下容器部材とを、これら上容器部材及び下容器部材の外周縁に連続状に突設された係合用突条の係合によって組み立ててなる気密性カード状振り出し容器であって、
前記上容器部材の側壁部の切欠部に前記下容器部材の一部が嵌合するように構成され、
前記下容器部材にヒンジキャップが設けられ、該ヒンジキャップの裏面に摺り合わせ用壁部材が突設され、該ヒンジキャップに対応する下容器部材には、該ヒンジキャップの摺り合わせ壁部材が摺り合わされる開口部が穿設されたことを特徴とする気密性カ−ド状振り出し容器。
【請求項２】
前記ヒンジキャップの両側壁には係止用突起が立設され、前記開口部の左右側壁部に設けられた係止用突起に係合して係合動作を図るようにした請求項１記載の気密性カ−ド状振り出し容器。
【発明の詳細な説明】
【技術分野】
【０００１】
本発明は清涼用粒状物等を入れて小出し使用する密封性を向上させたカード状振り出し容器に関するものである。
【背景技術】
【０００２】
清涼用粒状物等を入れて小出し使用するための振り出し容器としては、例えば、特開平９−３１５４６８号公報に開示されているように、底部材と蓋部材とを内周側に突設させた複数のボスの凹凸嵌合によって組み立ててなるカードケースにおいて、底部材のコーナー部を除く側壁部の一部を該底部材と一体のヒンジキャップとし、該ヒンジキャップの両側面に設けた突起を底部材に設けた嵌合部に開閉自在に嵌合させたヒンジキャップ付きカードケースが従来から知られている。
【先行技術文献】
【特許文献】
【０００３】
【特許文献１】特開平９−３１５４６８号公報
【発明の概要】
【発明が解決しようとする課題】
【０００４】
しかしながら、底部材と一体のヒンジキャップを該ヒンジキャップの両側面に設けた突起を底部材に設けた嵌合部に開閉自在に嵌合させる構成では、金型構造に起因して嵌合部等に隙間が生じ、内容物が湿気やすいもの、例えば柑橘系の清涼錠菓等の内容物の振り出し容器として密閉性に劣っている。本発明は上記問題点に鑑みてなされたものであって、内容物を取り出す開口部及び上容器と下容器の嵌合構成を改良して密封性を高めるカード状振り出し容器を得ることを目的とするものである。
【課題を解決するための手段】
【０００５】
本発明は、以上のような課題を解決するため、次のような気密性カード状振り出し容器を提供するものである。すなわち、薄いトレイ状の上容器部材と下容器部材とを、これら上容器部材及び下容器部材の外周縁に連続状に突設された係合用突条の係合によって組み立ててなる気密性カード状振り出し容器であって、
上容器部材の側壁部の切欠部に下容器部材の一部が嵌合するように構成され、
下容器部材にヒンジキャップが設けられ、ヒンジキャップの裏面に摺り合わせ用壁部材が突設され、該ヒンジキャップに対応する下容器部材には、該ヒンジキャップの摺り合わせ壁部材が摺り合わされる開口部が穿設されたものである。
更に、ヒンジキャップの両側壁には係止用突起が立設され、前記開口部の左右側壁部に設けられた係止用突起に係合して係合動作を図るようにすると良い。
【発明の効果】
【０００６】
以上のように、請求項１については、薄いトレイ状の上容器部材と下容器部材とを、これら上容器部材及び下容器部材の外周縁に連続状に突設された係合用突条の係合によって組み立ててなる気密性カード状振り出し容器であって、上容器部材の側壁部の切欠部に下容器部材の一部が嵌合するように構成され、下容器部材にヒンジキャップが設けられ、ヒンジキャップの裏面に摺り合わせ用壁部材が突設され、該ヒンジキャップに対応する下容器部材には、該ヒンジキャップの摺り合わせ壁部材が摺り合わされる開口部が穿設されたものであり、嵌合構造が簡易であり、容器の組立性の向上している。
又、請求項２の発明は、ヒンジキャップの左右側壁部外面には係止用突起が立設され、上容器部材の左右側壁部に設けられた係止用突起に係合して係合動作を図ることで、ヒンジキャップの定着位置を確実に保持することができる。
【図面の簡単な説明】
【０００７】
【図１】本発明の実施例を示す全体斜視図
【図２】同じくＸ−Ｘ断面図
【図３】同じくＹ−Ｙ断面図
【図４】同じくＸ−Ｘ断面図の右側拡大図
【図５】同じくＹ−Ｙ断面図の左側拡大図
【図６】同じくヒンジキャップを開いた拡大断面図
【図７】同じく上容器部材、下容器部材及びヒンジキャップの分解拡大斜視図
【発明を実施するための形態】
【０００８】
次に実施例を図１乃至図７に基づいて説明する。図１は本発明の実施例の変形例を示す全体斜視図、図２は同じくＸ−Ｘ断面図、図３は同じくＹ−Ｙ断面図、図４はＸ−Ｘ断面図の右側拡大図、図５は同じくＹ−Ｙ断面図の左側拡大図、図６は同じくヒンジキャップを開いた拡大断面図、図７は上容器部材、下容器部材及びヒンジキャップの分解拡大斜視図である。この図１乃至図３で示すように、本発明の気密性カード状振り出し容器（Ａ）は上容器部材（４１０）と下容器部材（４３０）とを組み立ててなるものであって、その下容器部材（４３０）のコーナー部を除く側壁部の一部には、下容器部材（４３０）と一体なヒンジキャップ（４５０）が、薄肉の折り曲げ自在なヒンジ部（４５１）を介して形成されている。これら上容器部材（４１０）、下容器部材（４３０）及びヒンジキャップ（４５０）は、ポリプロピレン、ポリエチレン、ポリスチレン等の熱可塑性樹脂を用いて所定形状に成形することにより得ることができる。可動蓋の一例として図示するヒンジキャップ（４５０）は、図１において振り出し容器の長辺側の側壁部に設けられている。上容器部材（４１０）は矩形状の平板から形成され、その側壁部（４１３）の一部には切欠部（４１２）が設けられている（図７（イ）参照）。一方、下容器部材（４３０）は上部より下部にかけて断面略四半円をなす円弧状とされ、その一部に矩形形状の開口部（４４０）が設けられている。開口部（４４０）の四辺は外部から内部に向けてテーパー状に形成されている。前記矩形形状の開口部（４４０）上部は下容器部材（４３０）の幅より高く設定され、その設定された高さ相当の段上げ部（４３５）が上容器部材（４１０）の切欠部（４１２）に嵌合され、さらに上容器部材（４１０）と下容器部材（４３０）のほぼ外周縁にわたって設けられた係合用突条（４１１）と（４３２）とが係合して容器を組み合わせるように構成されている。また、開口部（４４０）の左右側壁部（４３３）（４３３）には係止用突起（４３４）（４３４）が各々垂直に立設されている。
【０００９】
下容器部材（４３０）に薄肉の折り曲げ自在なヒンジ部（４５１）を介して形成されているヒンジキャップ（４５０）は矩形状に形成され、その四周内側部にわたりテーパー状の摺り合わせ用壁部材（４５２）が一体に突設されている。そして、ヒンジッキャップ（４５０）の両側壁には、開口部（４４０）の左右側壁（４３３）（４３３）に設けた係止用突起（４３４）（４３４）と係合する係止用突起（４５３）（４５３）が設けられている。（４５４）は指掛け部である（図７（ロ）参照）。
【００１０】
このような構成により、上容器部材（４１０）の側壁部（４１３）の切欠部（４１２）に下容器部材（４３０）の段上げ部（４３５）が嵌合されると共に上容器部材（４１０）及び下容器部材（４３０）の外周縁に設けられた係合用突条（４１１）と（４３２）との係合により両者の端縁係合部に隙間が無くなり、容器全体の密閉性を高めることが可能になった。さらに、下容器部材（４３０）に設けられた開口部（４４０）のヒンジ部（４５１）を介して形成されているヒンジキャップ（４５０）と一体に突設された摺り合わせ用壁部材（４５２）の各側壁テーパー部に、開口部（４４０）の各側壁（４３３）のテーパー部が摺り合わされるので、開口部（４４０）の密閉性をさらに高めることが可能になった。
【００１１】
上記実施例の説明において、振り出し容器の形状を矩形状の例で説明したが、この形状に限定されるものではなく、多角形状にも適用でき、また、開口部、可動蓋、或いは摺り合わせ用壁部材等は上容器部材或いは下容器部材の何れに設けてもよく、さらに可動蓋は側壁の長辺、短辺の何れに設けてもよく、適宜設計変更可能なものである。
【００１２】
以上に述べたように、本発明は、カード状振り出し容器であって、上容器部材と下容器部材の各部材のほぼ外周縁に係合用突条を設けて両者を係合させるように構成したので、従来のようにボスとピンとの嵌合とは異なり、両者の端縁係合部に隙間を無くし、容器全体の密閉性を高めることができ、外気の影響を受けることが非常に少ない振り出し容器を得られた。また、上容器部材または下容器部材の少なくとも何れか一方に開口部を、他方に可動蓋を設けて一体成形したので、部品点数が少なく、低コストで組み立て性に優れた振り出し容器が得られる。また、前記上容器部材または下容器部材に設けられた開口部または可動蓋の何れか一方に開口部を密閉する摺り合わせ用壁部材を設けたので、開口部または可動蓋の周縁の何れかに摺り合わされ、面接触するので確実に密閉され、開口部の気密性が高く保持され、しかも上容器と下容器の隙間のない嵌合構成と相まって気密性のカード状振り出し容器が得られた。さらに、容器の形状、或いは容器の部位を問わず開口部、可動蓋、摺り合わせ用壁部材等を適宜設けることができるので、内容物や求められる使用形態に合わせて随時設計可能である。このようにして得られた気密性の振り出し容器は、水蒸気バリア性を向上させ、湿気やすい内容物にも対応可能となり、特に柑橘系の清涼錠菓等を収納することで、内容物の長期間の保存にも耐え、商品価値の高いカード状振り出し容器として市場に供給されるものである。
【符号の説明】
【００１３】
４１０ 上容器部材
４１１ 係合用突条
４１２ 切欠部
４１３ 側壁部
４３０ 下容器部材
４４０ 開口部
４５０ ヒンジキャップ
４５１ ヒンジ部
４５２ 側壁部
【図１】
2011098784.tif 000003
【図２】
2011098784.tif 000004
【図３】
2011098784.tif 000005
【図４】
2011098784.tif 000006
【図５】
2011098784.tif 000007
【図６】
2011098784.tif 000008
【図７】
2011098784.tif 000009